【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
睡眠の質に対処することに適した香料組成物を調製する方法であって、当該方法が、
−標準の１０−２０電極法を使用して脳波検査（ＥＥＧ）によって当該香料組成物を吸引した後で、ヒト対象の脳波活動を測定する；
−以下の式：
ＳＣ＝（（а１ｃｅ＋Θｃｅ）／δｔｅｍ）＋（Θ／а２）
式中：
а１ｃｅは、中心部電極Ｃ３、Ｃ４、Ｃｚにわたる８〜１２ヘルツの間の振動数を有するアルファ１脳波活動の振幅値を表し、
Θｃｅは、中心部電極Ｃ３、Ｃ４、Ｃｚにわたる４〜７ヘルツの間の振動数を有するシータ脳波活動の振幅値を表し、
δｔｅｍは、側頭部電極Ｔ７およびＴ８にわたる０．１〜３ヘルツの間の振動数を有するシータ脳波活動の振幅値を表し；および
Θ／а２は、全電極にわたる４〜７ヘルツの間の振動数を有するシータ脳波活動の振幅の１２〜１５ヘルツの間の振動数を有するアルファ２脳波活動の振幅値に対する比を表す、
Sandman Classifier（ＳＣ）値を規定する、
および
−組み合わせが１．３５より大きな既知のSandman Classifier値を有するような方法において機能的な香料成分を組み合わせる、
ステップを含む、前記方法。
【請求項２】
請求項１に記載の香料組成物を調製する方法であって、香料組成物が、少なくとも２種の、より特定的には少なくとも５種の、さらに特定的には１０種以上の、既知のSandman Classifier（ＳＣ）値が少なくとも１．３５を有する香料成分を含む、前記方法。
【請求項３】
請求項１または２に記載の香料組成物を調製する方法であって、香料組成物が、少なくとも重量で０．０１％の、以下の群から選び出される香料材料：
Ａ）香料組成物中で使用される香水成分の総量を基にして約１重量％〜約３０重量％、より特定的には約１．２重量％〜２８．９重量％の、少なくとも１種の柑橘調の成分、とりわけ以下からなる群から選択される柑橘調の成分：ベルガモット油、エッセンス、エキス、ベース、代用物または代替物、例えばBERGAMOT OIL ITALY EXPRESSED；BERGAMOT REC ABX5638；BERGAMOTE GIVCO 104/4；CITRAL LEMAROME N；CITRAL TECH；CITRATHAL R；CITRONELLYL NITRILE；CLONAL；CYMENE PARA；DIHYDRO MYRCENOL；DIMETHYL OCTENONE；DIMETOL；FLOROPAL；グレープフルーツ油、エッセンス、エキス、代替物または代用物、例えばGRAPEFRUIT JUICE SUPER CONC 7108AまたはGRAPEFRUIT OIL COSMOS；レモン油、エッセンス、エキス、ベース、代用物または代替物、例えばLEMON OIL CALIFORNIA TYPE DISTLD PURE；LEMON OIL ITALIAN ORPUR COSMOS；LEMON OIL RECONSTITUTION 1385；LEMON SPANISH DQ (AC) XN 41482TT；LEMONILE；LINALOOL OXIDE；LINALYL ACETATE SYNTHETIC；アオモジ油、エッセンス、エキス、代替物または代用物、例えばLITSEA CUBEBA OIL CHINA；マンダリン油、エッセンス、エキス、ベース、代用物または代替物、例えばMANDARIN ARTESSENCE OIL；MANDARIN OIL GREEN BRAZIL ORPUR；MANDARIN OIL ITALY COLOURLESS MD ORPUR；MANDARIN OIL WASHED COSMOS；MANDARINAL 32048 SAE；MANDARINAL 32048 SAE/2；MANDARINAL MATCH CF；METHYL PAMPLEMOUSSE；MYRCENE 90；オレンジ油、エッセンス、エキス、ベース、代用物または代替物、例えばORANGE 49；ORANGE ALDEHYDE；ORANGE CALIFORNIAN DQ (AC) XN 41228TT；ORANGE OIL BRAZIL；ORANGE OIL COLORLESS N.S.；ORANGE OIL FLORIDA；ORANGE SAVON CONC OIL；ORANGE TERPENELESS DQ (AC) 41483TT；ORANGE TERPENES DISTILLED；プチグレン油、エッセンス、エキス、ベース、代替物または代用物、例えばPETITGRAIN CITRONNIER OIL ORPUR；PRECYCLEMONE B；PRENYL ACETATE；RHUBAFURAN；タマリンド油、エッセンス、エキス、ベース、代替物または代用物、例えばTAMARINE AB 8212；タンジェリン油、エッセンス、エキス、エッセンス、ベース、代替物または代用物、例えばTANGERINE SOUTH AFRICAN DQ AC XN 41957TT；TERPINENE GAMMA；TERPINOLENE；およびTERPINYL ACETATE；
および、以下に表示する量の、群Ｂ１〜Ｂ２０の少なくとも５つからの少なくとも１種の成分：
Ｂ１）香料組成物中で使用される香水成分を基にして約０．０１重量％〜約１．５重量％、より特定的には約０．０１重量％〜約１．４１重量％の、以下からなる群から選択される少なくとも１種のアルデヒド調の成分：ALDEHYDE C 10 DECYLIC；ALDEHYDE C 11 UNDECYLENIC；ALDEHYDE C 110 UNDECYLIC；ALDEHYDE C 12 LAURIC；ALDEHYDE C 12 MNA PURE；ALDEHYDE C 8 OCTYLIC FOOD GRADE；ALDEHYDE C 9 ISONONYLIC；ALDEHYDE C 9 NONYLIC FOOD GRADE；ALDEHYDE C 90 NONENYLIC 1%/TEC；ALDEHYDE C12 (DODECANAL)；ALDEHYDE ISO C 11；マンダリンアルデヒド、例えばALDEHYDE MANDARINE 10%/TEC；トランス−４−デセナール、例えばDECENAL-4-TRANS、DECENAL-4-TRANS 10%/TEC；DIHYDROFARNESAL；ドデカナール、例えばDODECENAL 10%/TEC；MYRALDENE；およびTANGERINOL；
Ｂ２）香料組成物中で使用される香水成分を基にして約０．０１重量％〜約２５重量％、より特定的には約０．０１重量％〜約２２．４９重量％の、以下からなる群から選択される少なくとも１種のアンバー調の成分：アンバーケタール、例えばAMBERKETAL 1%/TEC；AMBERKETAL IPM；アンバーマックス、例えばAMBERMAX 10%/TEC、AMBERMAX 50%/DOWANOL TPM；アンブロセニド、例えばAMBROCENIDE 10%/DPG；AMBROFIX；AMBROFIX FLAKES；ベランブレ、例えばBELAMBRE 50%/IPM；BOISAMBRENE FORTE；CEDRYL ACETATE LIQUID；CEDRYL METHYL ETHER；CETALOX；ISO E SUPER；KARANAL；KEPHALIS；TIMBEROL；TRIMOFIX O；
Ｂ３）香料組成物中で使用される香水成分を基にして約０．０１重量％〜約１．５重量％、より特定的には約０．０１重量％〜約１．４１重量％の、以下からなる群から選択される少なくとも１種のアニマリック／レザー調の成分：ANIMALIS 1745 SUBST. PMF 2；ケード油、エッセンス、エキス、代替物、代用物、例えばCADE OIL SPAIN；GUAIACOL；INDOFLOR；インドール、例えばINDOLE、INDOLE 1%/TEC；インドレン、例えばINDOLENE 50%/CASTOR OIL；スエーデラル成分、例えばSUEDERAL LT 0710；
Ｂ４）香料組成物中で使用される香水成分を基にして約０．０１重量％〜約０．２重量％、より特定的には約０．０１重量％〜約０．１６重量％の、以下からなる群から選択される少なくとも１種のアニス調の成分：ANETHOLE；ANISE STAR OIL；ANISIC ALDEHYDE；ANISYL ACETATE；DIHYDRO ANETHOLE；ESTRAGOLE；ウイキョウ油、エッセンス、エキス、ベース、代替物または代用物、例えばFENNEL SWEET 50 % DQ (AC) 24190TT；FENNEL SWEET DQ (AC) N 41632TT；FENNEL OIL SWEET；FENNEL OIL SWEET TECH；
Ｂ５）香料組成物中で使用される香水成分を基にして約０．０１重量％〜約０．２重量％、より特定的には約０．０１重量％〜約０．１３重量％の、以下からなる群から選択される少なくとも１種のバルサム調の成分：ベンゾイン油油、エッセンス、エキス、代替物または代用物、例えばBENZOIN SI GU ETA 50% BB AAF0515 41235EH；BENZYL ALCOHOL；BENZYL CINNAMATE；オリバナム油、エッセンス、エキス、代替物または代用物、例えばOLIBANUM COEUR DEP FREE 50%/TEC；OLIBANUM OIL SOMALIA ORPUR；PHENYL ETHYL PHENYL ACETATE；
Ｂ６）香料組成物中で使用される香水成分を基にして約０．０１重量％〜約１０重量％、より特定的には約０．０１重量％〜約８．１３重量％の、以下からなる群から選択される少なくとも１種のカンファー／アロマ調の成分：アルモワーズ油、エッセンス、エキス、代替物または代用物、例えばARMOISE OIL MOROCCO ORPUR COSMOS；樟脳および樟脳油、エッセンス、エキス、代替物または代用物、例えばCAMPHOR；CAMPHOR OIL WHITE；ユーカリプトールおよびユーカリプトール油、エッセンス、エキス、代替物または代用物、例えばEUCALYPTOL；EUCALYPTUS GLOBULUS OIL CHINA COSMOS；ラバンジン油、エッセンス、エキス、代替物または代用物、例えばLAVANDIN BRIALIS DQ (AC) XN 41665TT；LAVANDIN GROSSO OIL FRANCE ORPUR；LAVANDIN RGV 4；ラベンダー油、エキス、エッセンス、代替物または代用物、例えばLAVENDER DQ (AC) XN 41569TT；ローズマリー油、エッセンス、エキス、代替物または代用物、例えばROSEMARY OIL；ROSEMARY OIL RECONST；ニオイヒバ油、エッセンス、エキス、代替物または代用物、例えばTHUJA OIL KOREA；
Ｂ７）香料組成物中で使用される香水成分を基にして約３０重量％〜約８０重量％、より特定的には約３２重量％〜約７９重量％の、以下からなる群から選択される少なくとも１種のフローラル調の成分：ACETAL CD；AMYL CINNAMIC ALDEHYDE；AMYL SALICYLATE；AURANTIOL PURE BENZYL ACETATE；BENZYL SALICYLATE；；BOURGEONAL；CITRONELLOL；CITRONELLYL ACETATE；CRESYL METHYL ETHER PARA；CYCLAMEN ALDEHYDE EXTRA；CYCLOHEXAL；CYCLOHEXYL SALICYLATE；DIMETHYL ANTHRANILATE；DIMETHYL PHENYL THYL CARBINOL；DUPICAL；ETHYL LINALOOL；FLOROSA；FLOROSA HC；GERANIOL；ゼラニウム油、エッセンス、エキス、代替物または代用物、例えばGERANIUM 230/3 MOD；GERANIUM ABQ5629；GERANIUM BOURBON DQ (AC) XN 41563TT；GERANODYLE；GERANYL ACETATE；GERANYL BUTYRATE；HEDIONE；HEDIONE HC；HEXENYL-3-CIS SALICYLATE；HEXYL CINNAMIC ALDEHYDE；HEXYL CINNAMIC ALDEHYDE DQ AC XI 41505TT；HEXYL SALICYLATE；HYDROXYCITRONELLAL；ISOBUTYL PHENYL ACETATE；ISOBUTYL SALICYLATE；JASMATONE；ジャスミン油、エッセンス、エキス、代替物または代用物、例えばJASMIN ABSOLUTE DQ (AC) 41568TT；JASMIN ARGENT 2；JASMONE CIS；JASMONYL；JASMOPYRANE FORTE；LILIALおよびリリアール代用物；LINALOOL；MEFROSOL；METHYL ANTHRANILATE；METHYL ANTHRANILATE EXTRA；METHYL BENZOATE；METHYL PHENYL ACETATE；ネロリ油、エッセンス、エキス、代替物または代用物、例えばNEROLI ESSENTIAL BASE AB 7632；NEROLI PHASE ESS；NEROLINE CRYSTALS；NEROLIONE；オレンジ油、エッセンス、エキス、代替物または代用物、例えばORANGE FLOWER TEC AB 2169E；ORANGER CRYSTALS；ORANGER FLEUR CREME 1103/20；PELARGOL；PEONILE；PETALIA；PHENYL ETHYL ACETATE；PHENYL ETHYL ALCOHOL；PHENYL ETHYL ISOVALERATE；PHENYL ETHYL SALICYLATE CRYSTALS；ROSACETOL；ROSALVA；バラ油、エッセンス、エキス、代替物または代用物、例えばROSE BASE ABF0339A - K182572；ROSE TW 62/10/20；SUPER MUGUET；TERPINEOL PURE；TETRAHYDRO LINALOOL；VERDANTIOL；YARA YARA；イランイラン油、エッセンス、エキス、代替物または代用物、例えばYLANG AB 0388A；YLANG ECO ESSENCE；
Ｂ８）香料組成物中で使用される香水成分を基にして約０．０１重量％〜約２２重量％、より特定的には約０．０１重量％〜約２１．０８重量％の、以下からなる群から選択される少なくとも１種のフルーツ調の成分：ACETATE C 6 HEXYLIC；AGRUMEX；ALLYL AMYL GLYCOLATE；ALLYL CAPROATE；ALLYL CYCLOHEXYL PROPIONATE；ALLYL OENANTHATE；AMYL BUTYRATE；APHERMATE；リンゴ油、エッセンス、エキス、代替物または代用物、例えばAPPLE BASE ABF1016 - K108004；バナナ油、エッセンス、エキス、代替物または代用物、例えばBANANA BASE ABF0961A - K108784；BENZYL BUTYRATE；BENZYL ISOBUTYRATE；BENZYL PROPIONATE；BUTYL ACETATE；BUTYRIC ACID；カシス油、エッセンス、エキス、代替物または代用物、例えばCASSIS BASE 345-F CS/4/20；CASSIS BASE 345B RECO TEC AB 8408D；COGNAC WHITE OIL EXTRA DQ (AC) 41547TT；CYCLOGALBANATE；DAMASCENONE；DAMASCONE ALPHA；DAMASCONE BETA；DAMASCONE DELTA；DECALACTONE DELTA；DECALACTONE GAMMA；デューフルーツ油、エッセンス、エキス、代替物または代用物、例えばDEWFRUIT /2；DEWFRUIT TEC AB 2927R LILIAL FREE；DIETHYL MALONATE；DIMETHYL BENZYL CARBINYL ACETATE；DIMETHYL BENZYL CARBINYL BUTYRATE；DODECALACTONE DELTA；DODECALACTONE GAMMA；ETHYL ACETOACETATE；ETHYL BUTYRATE；ETHYL CAPROATE；ETHYL CAPRYLATE；ETHYL ISOAMYL KETONE；ETHYL ISOBUTYRATE；ETHYL METHYL-2-BUTYRATE；ETHYL OENANTHATE；ETHYL PELARGONATE；ETHYL PROPIONATE；ETHYL SAFRANATE；FLOROCYCLENE；FRAISTONE；FRUCTONE；FRUITATE；GARDOCYCLENE；GIVESCONE；グアバ油、エッセンス、エキス、代替物または代用物、例えばGUAVE DUPLICATION /2；HEXENYL-3-CIS BUTYRATE；HEXENYL-3-CIS ISOBUTYRATE；HEXYL BUTYRATE；HEXYL ISOBUTYRATE；ISOAMYL ACETATE EXTRA；ISOAMYL BUTYRATE FR；JASMACYCLENE；MANZANATE；メロン油、エッセンス、エキス、代替物または代用物、例えばMELON HONEYDEW/2；METHOXY PHENYL BUTANONE；METHYL HEPTENONE PURE；METHYL HEXYL KETONE；METHYL-2-PENTENOIC ACID；2-NECTARYL；OCTALACTONE GAMMA；PEACH PURE；PHENOXY ETHYL ISOBUTYRATE；PHENYL ETHYL ISOBUTYRATE；PRUNOLIDE；RASPBERRY KETONE (N112)；STRAWBERRY PURE；
Ｂ９）香料組成物中で使用される香水成分を基にして約０．００１重量％〜約０．０１重量％、より特定的には約０．００１重量％〜約０．００２重量％の、以下からなる群から選択される少なくとも１種のキノコ調の成分：AMYL VINYL CARBINOL；OCIMENE
Ｂ１０）香料組成物中で使用される香水成分を基にして約０．０１重量％〜約１重量％、より特定的には約０．０１重量％〜約０．８６重量％の、以下からなる群から選択される少なくとも１種のグルマン調の成分：ACETOIN；アセチルピラジン、例えばACETYL PYRAZINE 1%/TEC；BENZALDEHYDE；BUTYL BUTYRO LACTATE；チョコレート油、エッセンス、エキス、代替物または代用物、例えばCHOCOLAT NOIR 1130 TEC/3；CORYLONE DRIED；CYCLOTENE；エチルマルトール、例えばETHYL MALTOL；ETHYL MALTOL 1%/BA；ホモフロノール、例えばHOMOFURONOL 20%/TEC；ヒドロキシエチルメチルチアゾール、例えばHYDROXY ETHYL METHYL THIAZOL 10%/TEC；ISOBUTAVAN；MALTYL ISOBUTYRATE；
Ｂ１１）香料組成物中で使用される香水成分を基にして約０．０１重量％〜約５重量％、より特定的には０．０４１重量％〜約４．２８重量％の、以下からなる群から選択される少なくとも１種のグリーン調の成分：ACETAL E；ALCOHOL C 6 HEXYLIC；ALDEHYDE C 6 HEXYLIC FOOD GRADE；BUTYL QUINOLINE SECONDARY；CYCLAL C；DIPHENYL OXIDE；ELINTAAL；ETHYL DECADIENOATE；エチルジメチルピラジン、例えばPYRAZINE 1%/TEC；ガルバノン、例えばGALBANONE 10；GALBANONE PURE；GARDENOL；ヘキサナール−２−トランス、例えばHEXENAL-2-TRANS 10%/TEC；HEXENOL-2-TRANS；HEXENOL-3-CIS；HEXENYL-3-CIS ACETATE；HEXENYL-3-CIS BENZOATE；HEXENYL-3-CIS PROPIONATE；ISOCYCLOCITRAL；イソヘキシルメトキシピラジン、例えばISOHEXYLMETHOXY PYRAZINE 1%/TEC；LIFFAROME；LIGANTRAAL；MACEAL；METHYL OCTYNE CARBONATE；NEOFOLIONE；ノナジエナール、例えばNONADIENAL；NONADIENAL 1%/TEC；NONADIENOL-2,6；ノネナール−６−シス、例えばNONENAL-6-CIS 10%/TEC；NONENOL-6-CIS；プチグレン油、エッセンス、エキス、代替物または代用物、例えばPETITGRAIN ECO ESSENCE；PETITGRAIN OIL PARAGUAY；フェノキシアセトアルデヒド、例えばPHENOXY ACETALDEHYDE 50；フェニルアセトアルデヒド、例えばPHENYL ACETALDEHYDE 50%/PHENYL ETHYL ALC；PYRALONE；RESEDAL；ROSE OXIDE；ROSYRANE SUPER；STEMONE；TRICYCLAL；TRIFERNAL；UNDECATRIENE；UNDECAVERTOL；バイオレットニトリル、例えばVIOLET NITRILE 0.1%/TEC；VIOLET NITRILE 10%/TEC；VIRIDINE；
Ｂ１２）香料組成物中で使用される香水成分を基にして約０．０１重量％〜約０．５重量％、より特定的には０．０１重量％〜約０．１重量％の、以下からなる群から選択される少なくとも１種のハーブ調の成分：バジル油、エッセンス、エキス、代替物または代用物、例えばBASIL OIL EGYPT ORPUR；カモミール油、エッセンス、エキス、代替物または代用物、例えばCAMOMILE ENGLISH DQ (AC) XN 41528TT；CITRONELLAL；クラリセージ油、エッセンス、エキス、代替物または代用物、例えばCLARY SAGE OIL COSMOS；CLARY SAGE OIL FRANCE ORPUR；CYPRISATE；ユーカリ油、エキス、エッセンス、代替物または代用物、例えばEUCALYPTUS CITRIODORA OIL BRAZIL；HERBOXANE；PINOACETALDEHYDE；TANAISONE；タイム油、エッセンス、エキス、代替物または代用物、例えばTHYME OIL RED 40-45%；THYME WHITE DQ (AC) XN 41491TT；THYMOL CRYSTALS；
Ｂ１３）香料組成物中で使用される香水成分を基にして約０．０１重量％〜約５重量％、より特定的には約０．０１重量％〜約４．３重量％の、以下からなる群から選択される少なくとも１種のマリン／ウォータリー調の成分：ADOXAL；アズロン、例えばAZURONE 10%/TEC；CALONE 1951；FENNALDEHYDE；FLORALOZONE；FLORHYDRAL；MELONAL；SCENTENAL；TROPIONAL；VERNALDEHYDE；
Ｂ１４）香料組成物中で使用される香水成分を基にして約０．０１重量％〜約０．５重量％、より特定的には約０．０１重量％〜約０．４７重量％の、以下からなる群から選択される少なくとも１種のミント調の成分：ブチュ葉油、エッセンス、エキス、代替物または代用物、例えばBUCHU LEAF OIL SOUTH AFRICA COSMOS；CARVONE LAEVO；ハッカ油、エッセンス、エキス、代替物または代用物、例えばCORNMINT OIL DEMENTHOLIZED；FRESKOMENTHE；ISOMENTHONE DL；MENTHOL LAEVO；MENTHOL-DL；MENTHONE；MENTHYL ACETATE；ペパーミント油、エッセンス、エキス、代替物または代用物、例えばPEPPERMINT AM FAR WEST DQ AC 41624TT；PEPPERMINT AM MID WEST MIW DQ AC 41253TT；PEPPERMINT AM WILL REDIST DQ AC 24150TT；PEPPERMINT AM WILLAM NAT DQ AC 37968TT；PEPPERMINT AMER 9303 DQ (AC) 37934TT；PEPPERMINT CHINESE T'LES(EXCN)DQ 24329TT；PEPPERMINT CHINESE TR (CN) DQ 24109TT；PEPPERMINT CN TERPLESS FDC DQ AC 37921TT；PEPPERMINT HMF DQ 24817TT；PEPPERMINT INDIAN TPC-1 DQ AC 24049TT；PEPPERMINT OIL BLEND；PEPPERMINT PIP IND REC.FDC DQ AC 24040TT；スペアミント油、エッセンス、エキス、代替物または代用物、例えばSPEARMINT AM FW NAT DQ AC XN 41610TT；SPEARMINT OIL USA TYPE；
Ｂ１５）香料組成物中で使用される香水成分を基にして約０．０１重量％〜約５０重量％、より特定的には約０．０１重量％〜約４４．４３重量％の、以下からなる群から選択される少なくとも１種のムスク調の成分：AMBRETTOLIDE；CASHMERAN；COSMONE；シクロペンタデカノリド、例えばCYCLO PENTA DECANOLIDE DQ 1% PG；ETHYLENE BRASSYLATE；GALAXOLIDE；GALAXOLIDE S；HABANOLIDE；MUSCENONE；MUSK C14；SERENOLIDE；SILVANONE SUPRA；SYLKOLIDE；VELVIONE；
Ｂ１６）香料組成物中で使用される香水成分を基にして約０．０１重量％〜約１０重量％の、以下からなる群から選択される少なくとも１種のオリス調の成分：CETONE V；DIHYDRO IONONE BETA；IONONE BETA；IRISONE ALPHA；IRISONE PURE；ISORALDEINE 70；ISORALDEINE 95；ORIVONE；
Ｂ１７）香料組成物中で使用される香水成分を基にして約０．０１重量％〜約１重量％、より特定的には約０．０１重量％〜約０．４重量％の、以下からなる群から選択される少なくとも１種のスパイス調の成分：カルダモン油、エッセンス、エキス、代替物または代用物、例えばCARDAMOM SEED OIL ORPUR；CARDAMOM SUBSTITUTE 1527 F；CARDAMOME SUBSTITUT 1527 F/2；CARYOPHYLLENE；CINNAMIC ALCOHOL CINNAMIC ALCOHOL；CINNAMIC ALDEHYDE；シナモンリーフ油、エッセンス、エキス、代替物または代用物、例えばCINNAMON LEAF OIL WASHED ORPUR；クローブ油、エッセンス、エキス、代替物または代用物、例えばCLOVE BUD OIL；CLOVE LEAF OIL COLORLESS；CLOVE LEAF OIL RECTIFIED RB COSMOS；コリアンダー油、エッセンス、エキス、代替物または代用物、例えばCORIANDER SEEDS OIL ORPUR COSMOS；エレミ油、エッセンス、エキス、代替物または代用物、例えばELEMI RESINOID 50%/BB；ETHYL CINNAMATE；EUGENOL；ジンジャー油、エッセンス、エキス、代替物または代用物、例えばGINGER OIL INDIA ORPUR；GINGER ROOT FRESH CUT；ISOEUGENOL；IMETHYL CINNAMATE；METHYL ISOEUGENOL；MYSTIKAL；ナツメグ油、エッセンス、エキス、代替物または代用物、例えばNUTMEG OIL INDONESIA；胡椒油、エッセンス、エキス、代替物または代用物、例えばPEPPER BLACK OIL MADAGASCAR ORPUR；SZECHUAN PEPPER (ASH BARK) DQ AF 24070TT；
Ｂ１８）香料組成物中で使用される香水成分を基にして約０．０１重量％〜約０．５重量％、より特定的には約０．０１重量％〜約０．２１重量％の、以下からなる群から選択される少なくとも１種の硫黄調の成分：アンジェルク（Anjeruk）、例えばANJERUK 0.01%/TEC；コールカシス、例えばCORPS CASSIS 0.1%/TEC；CORPS CASSIS 10%/TEC；コールパンプルムース、例えばCORPS PAMPLEMOUSSE PURE 1%/TEC；CORPS PAMPLEMOUSSE PURE 10%/TEC；ジメチルスルフィド、例えばDIMETHYL SULFIDE；DIMETHYL SULFIDE 1%/TEC；GARDAMIDE；ラビエノキシム、例えばLABIENOXIME 1%/IPM-TEC；メルカプタン、例えばMERCAPTO-8 MENTHENE-1 PARA 0.1% IN TEC；METHYL ISOPROPYL THIAZOLE；ナルドゼステ（Nardozeste）油、エッセンス、エキス、代替物または代用物、例えばNARDOZESTE ABQ5031；NEOCASPIRENE EXTRA；NONIVAMIDE 1% TRIACETIN；オキサン、例えばOXANE 50%/TEC；PARADISAMIDE；パラメントン、例えばPARAMENTHONE 1%/TEC；
Ｂ１９）香料組成物中で使用される香水成分を基にして約０．０１重量％〜約１０重量％、より特定的には約０．２重量％〜約７．８３重量％の、以下からなる群から選択される少なくとも１種のスウィート／パウダリー調の成分：ACETOPHENONE；AUBEPINE PARA CRESOL；BICYCLO NONALACTONE；COUMARIN；エチルライトン、例えばETHYL LAITONE 1%/TEC；ETHYL VANILLIN；HELIOTROPIN；バニラ油、エッセンス、エキス、代替物または代用物、例えばVANILLA ABSOLUTE 20 FOLD DQ AC 41493TT；VANILLA S/ABS DEC 50% PG AAF0517 L228655；VANILLA SUP ABS DEC DQ P17 SB AC 41561TT；VANILLAL DQ (AF) 41319TT；VANILLIN；VANILLIN DQ (AF) 41320TT；バノリア（Vanolia）油、エッセンス、エキス、代替物または代用物、例えばVANOLIA BASE ABF0303B；VERATRIC ALDEHYDE；
Ｂ２０）香料組成物中で使用される香水成分を基にして約０．０１重量％〜約１５重量％、より特定的には約０．０１重量％〜約１０．３７重量％の、以下からなる群から選択される少なくとも１種のウッディ／パイン調の成分：BORNEOL；BORNYL ACETATE LIQUID；BUTYL CYCLOHEXANOL PARA；BUTYL CYCLOHEXYL ACETATE PARA；シダーウッド油、エッセンス、エキス、代替物または代用物、例えばCEDARWOOD OIL USA VIRGINIA TYPE ORPUR；CONIFERAN；EBANOL；EVERNYL；FENCHYL ACETATE；ガイアックウッド油、エッセンス、エキス、代替物または代用物、例えばGUAIACWOOD OIL PARAGUAY；ISONONANYL ACETATE ；JAVANOL；KOHINOOL；MENTHANYL ACETATE；METHYL CEDRYL KETONE；NOPYL ACETATE；OSYROL；OXYOCTALINE FORMATE；パチュリー油、エッセンス、エキス、代替物または代用物、例えばPATCHOULI OIL COLORLESS INDONESIA；PATCHOULI OIL IRONFREE INDONESIA COSMOS；PINENE ALPHA；PINENE BETA；RADJANOL；RADJANOL SUPER；テレピン油、エッセンス、エキス、代替物または代用物、例えばTURPENTINE OIL RECTIFIED；VERTOFIX COEUR；ベチバー油、エッセンス、エキス、代替物または代用物、例えばVETIVER OIL HAITI ORPUR ORGANIC COSMOS；
および、任意に
Ｂ２１）香料組成物中で使用される香水成分を基にして約０．０１重量％〜約１０重量％の、以下からなる群から選択される少なくとも１種の成分：ALDEHYDE C12 （DODECANAL）；およびMENTHYL ACETATE、
を含む、前記方法。
【請求項４】
消費者用製品を調製する方法であって、消費者用製品基材中に、１．３５より大きな既知のSandman Classifier（ＳＣ）値を有する香料組成物を組み込むステップを含み、香料組成物が、請求項１〜３のいずれか一項に記載の方法により調製される、前記方法。
【請求項５】
請求項４に記載の消費者用製品を調製する方法であって、消費者用製品が、洗濯物ケア製品、パーソナルケア製品、口腔ケア製品、空気ケア製品またはホームケア製品からなる群から選択される、前記方法。
【請求項６】
請求項５に記載の消費者用製品を調製する方法であって、
重量で０．０１％〜２５％の香料組成物を含む空気清浄製品、または
重量で０．０１％〜６０％の香料組成物を含む口腔ケア製品、または
重量で０．０１％〜２０％の香料組成物を含む衣類ケア製品、または
重量で０．０１％〜２０％の香料組成物を含むパーソナルケア製品、または
重量で０．０１％〜３４％の香料組成物を含むホームケア製品、
が調製される、前記方法。
【請求項７】
請求項１〜３のいずれか一項の方法により調製された香料組成物の有効量の吸入を通じた、改善された睡眠の質を提供する方法。
【請求項８】
香料組成物のSandman Classifier（ＳＣ）値を規定する方法であって、
−標準の１０−２０電極法を使用して脳波検査（ＥＥＧ）によって当該香料組成物を吸引した後で、ヒト対象の脳波活動を測定する；
−以下の式：
ＳＣ＝（（а１ｃｅ＋Θｃｅ）／δｔｅｍ）＋（Θ／а２）
式中：
а１ｃｅは、中心部電極Ｃ３、Ｃ４、Ｃｚにわたる８〜１２ヘルツの間の振動数を有するアルファ１脳波活動の振幅値を表し、
Θｃｅは、中心部電極Ｃ３、Ｃ４、Ｃｚにわたる４〜７ヘルツの間の振動数を有するシータ脳波活動の振幅値を表し、
δｔｅｍは、側頭部電極Ｔ７およびＴ８にわたる０．１〜３ヘルツの間の振動数を有するシータ脳波活動の振幅値を表し；および
Θ／а２は、全電極にわたる４〜７ヘルツの間の振動数を有するシータ脳波活動の振幅の１２〜１５ヘルツの間の振動数を有するアルファ２脳波活動の振幅値に対する比を表す、
Sandman Classifier（ＳＣ）値を規定する、
ステップを含む、前記方法。
【請求項９】
少なくとも２種の、より特定的には少なくとも５種の、さらに特定的には１０種以上の、既知のSandman Classifier（ＳＣ）値が少なくとも１．３５を有する香料成分を含む、香料組成物。
【請求項１０】
請求項９に記載の香料組成物であって、香料組成物が、少なくとも重量で０．０１％の、以下の群から選び出される香料材料：
Ａ）香料組成物中で使用される香水成分の総量を基にして約１重量％〜約３０重量％、より特定的には約１．２重量％〜２８．９重量％の、少なくとも１種の柑橘調の成分、とりわけ以下からなる群から選択される柑橘調の成分：ベルガモット油、エッセンス、エキス、ベース、代用物または代替物、例えばBERGAMOT OIL ITALY EXPRESSED；BERGAMOT REC ABX5638；BERGAMOTE GIVCO 104/4；CITRAL LEMAROME N；CITRAL TECH；CITRATHAL R；CITRONELLYL NITRILE；CLONAL；CYMENE PARA；DIHYDRO MYRCENOL；DIMETHYL OCTENONE；DIMETOL；FLOROPAL；グレープフルーツ油、エッセンス、エキス、代替物または代用物、例えばGRAPEFRUIT JUICE SUPER CONC 7108AまたはGRAPEFRUIT OIL COSMOS；レモン油、エッセンス、エキス、ベース、代用物または代替物、例えばLEMON OIL CALIFORNIA TYPE DISTLD PURE；LEMON OIL ITALIAN ORPUR COSMOS；LEMON OIL RECONSTITUTION 1385；LEMON SPANISH DQ (AC) XN 41482TT；LEMONILE；LINALOOL OXIDE；LINALYL ACETATE SYNTHETIC；アオモジ油、エッセンス、エキス、代替物または代用物、例えばLITSEA CUBEBA OIL CHINA；マンダリン油、エッセンス、エキス、ベース、代用物または代替物、例えばMANDARIN ARTESSENCE OIL；MANDARIN OIL GREEN BRAZIL ORPUR；MANDARIN OIL ITALY COLOURLESS MD ORPUR；MANDARIN OIL WASHED COSMOS；MANDARINAL 32048 SAE；MANDARINAL 32048 SAE/2；MANDARINAL MATCH CF；METHYL PAMPLEMOUSSE；MYRCENE 90；オレンジ油、エッセンス、エキス、ベース、代用物または代替物、例えばORANGE 49；ORANGE ALDEHYDE；ORANGE CALIFORNIAN DQ (AC) XN 41228TT；ORANGE OIL BRAZIL；ORANGE OIL COLORLESS N.S.；ORANGE OIL FLORIDA；ORANGE SAVON CONC OIL；ORANGE TERPENELESS DQ (AC) 41483TT；ORANGE TERPENES DISTILLED；プチグレン油、エッセンス、エキス、ベース、代替物または代用物、例えばPETITGRAIN CITRONNIER OIL ORPUR；PRECYCLEMONE B；PRENYL ACETATE；RHUBAFURAN；タマリンド油、エッセンス、エキス、ベース、代替物または代用物、例えばTAMARINE AB 8212；タンジェリン油、エッセンス、エキス、エッセンス、ベース、代替物または代用物、例えばTANGERINE SOUTH AFRICAN DQ AC XN 41957TT；TERPINENE GAMMA；TERPINOLENE；およびTERPINYL ACETATE；
および、以下に表示する量の、群Ｂ１〜Ｂ２０の少なくとも５つからの少なくとも１種の成分：
Ｂ１）香料組成物中で使用される香水成分を基にして約０．０１重量％〜約１．５重量％、より特定的には約０．０１重量％〜約１．４１重量％の、以下からなる群から選択される少なくとも１種のアルデヒド調の成分：ALDEHYDE C 10 DECYLIC；ALDEHYDE C 11 UNDECYLENIC；ALDEHYDE C 110 UNDECYLIC；ALDEHYDE C 12 LAURIC；ALDEHYDE C 12 MNA PURE；ALDEHYDE C 8 OCTYLIC FOOD GRADE；ALDEHYDE C 9 ISONONYLIC；ALDEHYDE C 9 NONYLIC FOOD GRADE；ALDEHYDE C 90 NONENYLIC 1%/TEC；ALDEHYDE C12 (DODECANAL)；ALDEHYDE ISO C 11；マンダリンアルデヒド、例えばALDEHYDE MANDARINE 10%/TEC；トランス−４−デセナール、例えばDECENAL-4-TRANS、DECENAL-4-TRANS 10%/TEC；DIHYDROFARNESAL；ドデカナール、例えばDODECENAL 10%/TEC；MYRALDENE；およびTANGERINOL；
Ｂ２）香料組成物中で使用される香水成分を基にして約０．０１重量％〜約２５重量％、より特定的には約０．０１重量％〜約２２．４９重量％の、以下からなる群から選択される少なくとも１種のアンバー調の成分：アンバーケタール、例えばAMBERKETAL 1%/TEC；AMBERKETAL IPM；アンバーマックス、例えばAMBERMAX 10%/TEC、AMBERMAX 50%/DOWANOL TPM；アンブロセニド、例えばAMBROCENIDE 10%/DPG；AMBROFIX；AMBROFIX FLAKES；ベランブレ、例えばBELAMBRE 50%/IPM；BOISAMBRENE FORTE；CEDRYL ACETATE LIQUID；CEDRYL METHYL ETHER；CETALOX；ISO E SUPER；KARANAL；KEPHALIS；TIMBEROL；TRIMOFIX O；
Ｂ３）香料組成物中で使用される香水成分を基にして約０．０１重量％〜約１．５重量％、より特定的には約０．０１重量％〜約１．４１重量％の、以下からなる群から選択される少なくとも１種のアニマリック／レザー調の成分：ANIMALIS 1745 SUBST. PMF 2；ケード油、エッセンス、エキス、代替物、代用物、例えばCADE OIL SPAIN；GUAIACOL；INDOFLOR；インドール、例えばINDOLE、INDOLE 1%/TEC；インドレン、例えばINDOLENE 50%/CASTOR OIL；スエーデラル成分、例えばSUEDERAL LT 0710；
Ｂ４）香料組成物中で使用される香水成分を基にして約０．０１重量％〜約０．２重量％、より特定的には約０．０１重量％〜約０．１６重量％の、以下からなる群から選択される少なくとも１種のアニス調の成分：ANETHOLE；ANISE STAR OIL；ANISIC ALDEHYDE；ANISYL ACETATE；DIHYDRO ANETHOLE；ESTRAGOLE；ウイキョウ油、エッセンス、エキス、ベース、代替物または代用物、例えばFENNEL SWEET 50 % DQ (AC) 24190TT；FENNEL SWEET DQ (AC) N 41632TT；FENNEL OIL SWEET；FENNEL OIL SWEET TECH；
Ｂ５）香料組成物中で使用される香水成分を基にして約０．０１重量％〜約０．２重量％、より特定的には約０．０１重量％〜約０．１３重量％の、以下からなる群から選択される少なくとも１種のバルサム調の成分：ベンゾイン油油、エッセンス、エキス、代替物または代用物、例えばBENZOIN SI GU ETA 50% BB AAF0515 41235EH；BENZYL ALCOHOL；BENZYL CINNAMATE；オリバナム油、エッセンス、エキス、代替物または代用物、例えばOLIBANUM COEUR DEP FREE 50%/TEC；OLIBANUM OIL SOMALIA ORPUR；PHENYL ETHYL PHENYL ACETATE；
Ｂ６）香料組成物中で使用される香水成分を基にして約０．０１重量％〜約１０重量％、より特定的には約０．０１重量％〜約８．１３重量％の、以下からなる群から選択される少なくとも１種のカンファー／アロマ調の成分：アルモワーズ油、エッセンス、エキス、代替物または代用物、例えばARMOISE OIL MOROCCO ORPUR COSMOS；樟脳および樟脳油、エッセンス、エキス、代替物または代用物、例えばCAMPHOR；CAMPHOR OIL WHITE；ユーカリプトールおよびユーカリプトール油、エッセンス、エキス、代替物または代用物、例えばEUCALYPTOL；EUCALYPTUS GLOBULUS OIL CHINA COSMOS；ラバンジン油、エッセンス、エキス、代替物または代用物、例えばLAVANDIN BRIALIS DQ (AC) XN 41665TT；LAVANDIN GROSSO OIL FRANCE ORPUR；LAVANDIN RGV 4；ラベンダー油、エキス、エッセンス、代替物または代用物、例えばLAVENDER DQ (AC) XN 41569TT；ローズマリー油、エッセンス、エキス、代替物または代用物、例えばROSEMARY OIL；ROSEMARY OIL RECONST；ニオイヒバ油、エッセンス、エキス、代替物または代用物、例えばTHUJA OIL KOREA；
Ｂ７）香料組成物中で使用される香水成分を基にして約３０重量％〜約８０重量％、より特定的には約３２重量％〜約７９重量％の、以下からなる群から選択される少なくとも１種のフローラル調の成分：ACETAL CD；AMYL CINNAMIC ALDEHYDE；AMYL SALICYLATE；AURANTIOL PURE BENZYL ACETATE；BENZYL SALICYLATE；；BOURGEONAL；CITRONELLOL；CITRONELLYL ACETATE；CRESYL METHYL ETHER PARA；CYCLAMEN ALDEHYDE EXTRA；CYCLOHEXAL；CYCLOHEXYL SALICYLATE；DIMETHYL ANTHRANILATE；DIMETHYL PHENYL THYL CARBINOL；DUPICAL；ETHYL LINALOOL；FLOROSA；FLOROSA HC；GERANIOL；ゼラニウム油、エッセンス、エキス、代替物または代用物、例えばGERANIUM 230/3 MOD；GERANIUM ABQ5629；GERANIUM BOURBON DQ (AC) XN 41563TT；GERANODYLE；GERANYL ACETATE；GERANYL BUTYRATE；HEDIONE；HEDIONE HC；HEXENYL-3-CIS SALICYLATE；HEXYL CINNAMIC ALDEHYDE；HEXYL CINNAMIC ALDEHYDE DQ AC XI 41505TT；HEXYL SALICYLATE；HYDROXYCITRONELLAL；ISOBUTYL PHENYL ACETATE；ISOBUTYL SALICYLATE；JASMATONE；ジャスミン油、エッセンス、エキス、代替物または代用物、例えばJASMIN ABSOLUTE DQ (AC) 41568TT；JASMIN ARGENT 2；JASMONE CIS；JASMONYL；JASMOPYRANE FORTE；LILIALおよびリリアール代用物；LINALOOL；MEFROSOL；METHYL ANTHRANILATE；METHYL ANTHRANILATE EXTRA；METHYL BENZOATE；METHYL PHENYL ACETATE；ネロリ油、エッセンス、エキス、代替物または代用物、例えばNEROLI ESSENTIAL BASE AB 7632；NEROLI PHASE ESS；NEROLINE CRYSTALS；NEROLIONE；オレンジ油、エッセンス、エキス、代替物または代用物、例えばORANGE FLOWER TEC AB 2169E；ORANGER CRYSTALS；ORANGER FLEUR CREME 1103/20；PELARGOL；PEONILE；PETALIA；PHENYL ETHYL ACETATE；PHENYL ETHYL ALCOHOL；PHENYL ETHYL ISOVALERATE；PHENYL ETHYL SALICYLATE CRYSTALS；ROSACETOL；ROSALVA；バラ油、エッセンス、エキス、代替物または代用物、例えばROSE BASE ABF0339A - K182572；ROSE TW 62/10/20；SUPER MUGUET；TERPINEOL PURE；TETRAHYDRO LINALOOL；VERDANTIOL；YARA YARA；イランイラン油、エッセンス、エキス、代替物または代用物、例えばYLANG AB 0388A；YLANG ECO ESSENCE；
Ｂ８）香料組成物中で使用される香水成分を基にして約０．０１重量％〜約２２重量％、より特定的には約０．０１重量％〜約２１．０８重量％の、以下からなる群から選択される少なくとも１種のフルーツ調の成分：ACETATE C 6 HEXYLIC；AGRUMEX；ALLYL AMYL GLYCOLATE；ALLYL CAPROATE；ALLYL CYCLOHEXYL PROPIONATE；ALLYL OENANTHATE；AMYL BUTYRATE；APHERMATE；リンゴ油、エッセンス、エキス、代替物または代用物、例えばAPPLE BASE ABF1016 - K108004；バナナ油、エッセンス、エキス、代替物または代用物、例えばBANANA BASE ABF0961A - K108784；BENZYL BUTYRATE；BENZYL ISOBUTYRATE；BENZYL PROPIONATE；BUTYL ACETATE；BUTYRIC ACID；カシス油、エッセンス、エキス、代替物または代用物、例えばCASSIS BASE 345-F CS/4/20；CASSIS BASE 345B RECO TEC AB 8408D；COGNAC WHITE OIL EXTRA DQ (AC) 41547TT；CYCLOGALBANATE；DAMASCENONE；DAMASCONE ALPHA；DAMASCONE BETA；DAMASCONE DELTA；DECALACTONE DELTA；DECALACTONE GAMMA；デューフルーツ油、エッセンス、エキス、代替物または代用物、例えばDEWFRUIT /2；DEWFRUIT TEC AB 2927R LILIAL FREE；DIETHYL MALONATE；DIMETHYL BENZYL CARBINYL ACETATE；DIMETHYL BENZYL CARBINYL BUTYRATE；DODECALACTONE DELTA；DODECALACTONE GAMMA；ETHYL ACETOACETATE；ETHYL BUTYRATE；ETHYL CAPROATE；ETHYL CAPRYLATE；ETHYL ISOAMYL KETONE；ETHYL ISOBUTYRATE；ETHYL METHYL-2-BUTYRATE；ETHYL OENANTHATE；ETHYL PELARGONATE；ETHYL PROPIONATE；ETHYL SAFRANATE；FLOROCYCLENE；FRAISTONE；FRUCTONE；FRUITATE；GARDOCYCLENE；GIVESCONE；グアバ油、エッセンス、エキス、代替物または代用物、例えばGUAVE DUPLICATION /2；HEXENYL-3-CIS BUTYRATE；HEXENYL-3-CIS ISOBUTYRATE；HEXYL BUTYRATE；HEXYL ISOBUTYRATE；ISOAMYL ACETATE EXTRA；ISOAMYL BUTYRATE FR；JASMACYCLENE；MANZANATE；メロン油、エッセンス、エキス、代替物または代用物、例えばMELON HONEYDEW/2；METHOXY PHENYL BUTANONE；METHYL HEPTENONE PURE；METHYL HEXYL KETONE；METHYL-2-PENTENOIC ACID；2-NECTARYL；OCTALACTONE GAMMA；PEACH PURE；PHENOXY ETHYL ISOBUTYRATE；PHENYL ETHYL ISOBUTYRATE；PRUNOLIDE；RASPBERRY KETONE (N112)；STRAWBERRY PURE；
Ｂ９）香料組成物中で使用される香水成分を基にして約０．００１重量％〜約０．０１重量％、より特定的には約０．００１重量％〜約０．００２重量％の、以下からなる群から選択される少なくとも１種のキノコ調の成分：AMYL VINYL CARBINOL；OCIMENE
Ｂ１０）香料組成物中で使用される香水成分を基にして約０．０１重量％〜約１重量％、より特定的には約０．０１重量％〜約０．８６重量％の、以下からなる群から選択される少なくとも１種のグルマン調の成分：ACETOIN；アセチルピラジン、例えばACETYL PYRAZINE 1%/TEC；BENZALDEHYDE；BUTYL BUTYRO LACTATE；チョコレート油、エッセンス、エキス、代替物または代用物、例えばCHOCOLAT NOIR 1130 TEC/3；CORYLONE DRIED；CYCLOTENE；エチルマルトール、例えばETHYL MALTOL；ETHYL MALTOL 1%/BA；ホモフロノール、例えばHOMOFURONOL 20%/TEC；ヒドロキシエチルメチルチアゾール、例えばHYDROXY ETHYL METHYL THIAZOL 10%/TEC；ISOBUTAVAN；MALTYL ISOBUTYRATE；
Ｂ１１）香料組成物中で使用される香水成分を基にして約０．０１重量％〜約５重量％、より特定的には０．０４１重量％〜約４．２８重量％の、以下からなる群から選択される少なくとも１種のグリーン調の成分：ACETAL E；ALCOHOL C 6 HEXYLIC；ALDEHYDE C 6 HEXYLIC FOOD GRADE；BUTYL QUINOLINE SECONDARY；CYCLAL C；DIPHENYL OXIDE；ELINTAAL；ETHYL DECADIENOATE；エチルジメチルピラジン、例えばPYRAZINE 1%/TEC；ガルバノン、例えばGALBANONE 10；GALBANONE PURE；GARDENOL；ヘキサナール−２−トランス、例えばHEXENAL-2-TRANS 10%/TEC；HEXENOL-2-TRANS；HEXENOL-3-CIS；HEXENYL-3-CIS ACETATE；HEXENYL-3-CIS BENZOATE；HEXENYL-3-CIS PROPIONATE；ISOCYCLOCITRAL；イソヘキシルメトキシピラジン、例えばISOHEXYLMETHOXY PYRAZINE 1%/TEC；LIFFAROME；LIGANTRAAL；MACEAL；METHYL OCTYNE CARBONATE；NEOFOLIONE；ノナジエナール、例えばNONADIENAL；NONADIENAL 1%/TEC；NONADIENOL-2,6；ノネナール−６−シス、例えばNONENAL-6-CIS 10%/TEC；NONENOL-6-CIS；プチグレン油、エッセンス、エキス、代替物または代用物、例えばPETITGRAIN ECO ESSENCE；PETITGRAIN OIL PARAGUAY；フェノキシアセトアルデヒド、例えばPHENOXY ACETALDEHYDE 50；フェニルアセトアルデヒド、例えばPHENYL ACETALDEHYDE 50%/PHENYL ETHYL ALC；PYRALONE；RESEDAL；ROSE OXIDE；ROSYRANE SUPER；STEMONE；TRICYCLAL；TRIFERNAL；UNDECATRIENE；UNDECAVERTOL；バイオレットニトリル、例えばVIOLET NITRILE 0.1%/TEC；VIOLET NITRILE 10%/TEC；VIRIDINE；
Ｂ１２）香料組成物中で使用される香水成分を基にして約０．０１重量％〜約０．５重量％、より特定的には０．０１重量％〜約０．１重量％の、以下からなる群から選択される少なくとも１種のハーブ調の成分：バジル油、エッセンス、エキス、代替物または代用物、例えばBASIL OIL EGYPT ORPUR；カモミール油、エッセンス、エキス、代替物または代用物、例えばCAMOMILE ENGLISH DQ (AC) XN 41528TT；CITRONELLAL；クラリセージ油、エッセンス、エキス、代替物または代用物、例えばCLARY SAGE OIL COSMOS；CLARY SAGE OIL FRANCE ORPUR；CYPRISATE；ユーカリ油、エキス、エッセンス、代替物または代用物、例えばEUCALYPTUS CITRIODORA OIL BRAZIL；HERBOXANE；PINOACETALDEHYDE；TANAISONE；タイム油、エッセンス、エキス、代替物または代用物、例えばTHYME OIL RED 40-45%；THYME WHITE DQ (AC) XN 41491TT；THYMOL CRYSTALS；
Ｂ１３）香料組成物中で使用される香水成分を基にして約０．０１重量％〜約５重量％、より特定的には約０．０１重量％〜約４．３重量％の、以下からなる群から選択される少なくとも１種のマリン／ウォータリー調の成分：ADOXAL；アズロン、例えばAZURONE 10%/TEC；CALONE 1951；FENNALDEHYDE；FLORALOZONE；FLORHYDRAL；MELONAL；SCENTENAL；TROPIONAL；VERNALDEHYDE；
Ｂ１４）香料組成物中で使用される香水成分を基にして約０．０１重量％〜約０．５重量％、より特定的には約０．０１重量％〜約０．４７重量％の、以下からなる群から選択される少なくとも１種のミント調の成分：ブチュ葉油、エッセンス、エキス、代替物または代用物、例えばBUCHU LEAF OIL SOUTH AFRICA COSMOS；CARVONE LAEVO；ハッカ油、エッセンス、エキス、代替物または代用物、例えばCORNMINT OIL DEMENTHOLIZED；FRESKOMENTHE；ISOMENTHONE DL；MENTHOL LAEVO；MENTHOL-DL；MENTHONE；MENTHYL ACETATE；ペパーミント油、エッセンス、エキス、代替物または代用物、例えばPEPPERMINT AM FAR WEST DQ AC 41624TT；PEPPERMINT AM MID WEST MIW DQ AC 41253TT；PEPPERMINT AM WILL REDIST DQ AC 24150TT；PEPPERMINT AM WILLAM NAT DQ AC 37968TT；PEPPERMINT AMER 9303 DQ (AC) 37934TT；PEPPERMINT CHINESE T'LES(EXCN)DQ 24329TT；PEPPERMINT CHINESE TR (CN) DQ 24109TT；PEPPERMINT CN TERPLESS FDC DQ AC 37921TT；PEPPERMINT HMF DQ 24817TT；PEPPERMINT INDIAN TPC-1 DQ AC 24049TT；PEPPERMINT OIL BLEND；PEPPERMINT PIP IND REC.FDC DQ AC 24040TT；スペアミント油、エッセンス、エキス、代替物または代用物、例えばSPEARMINT AM FW NAT DQ AC XN 41610TT；SPEARMINT OIL USA TYPE；
Ｂ１５）香料組成物中で使用される香水成分を基にして約０．０１重量％〜約５０重量％、より特定的には約０．０１重量％〜約４４．４３重量％の、以下からなる群から選択される少なくとも１種のムスク調の成分：AMBRETTOLIDE；CASHMERAN；COSMONE；シクロペンタデカノリド、例えばCYCLO PENTA DECANOLIDE DQ 1% PG；ETHYLENE BRASSYLATE；GALAXOLIDE；GALAXOLIDE S；HABANOLIDE；MUSCENONE；MUSK C14；SERENOLIDE；SILVANONE SUPRA；SYLKOLIDE；VELVIONE；
Ｂ１６）香料組成物中で使用される香水成分を基にして約０．０１重量％〜約１０重量％の、以下からなる群から選択される少なくとも１種のオリス調の成分：CETONE V；DIHYDRO IONONE BETA；IONONE BETA；IRISONE ALPHA；IRISONE PURE；ISORALDEINE 70；ISORALDEINE 95；ORIVONE；
Ｂ１７）香料組成物中で使用される香水成分を基にして約０．０１重量％〜約１重量％、より特定的には約０．０１重量％〜約０．４重量％の、以下からなる群から選択される少なくとも１種のスパイス調の成分：カルダモン油、エッセンス、エキス、代替物または代用物、例えばCARDAMOM SEED OIL ORPUR；CARDAMOM SUBSTITUTE 1527 F；CARDAMOME SUBSTITUT 1527 F/2；CARYOPHYLLENE；CINNAMIC ALCOHOL CINNAMIC ALCOHOL；CINNAMIC ALDEHYDE；シナモンリーフ油、エッセンス、エキス、代替物または代用物、例えばCINNAMON LEAF OIL WASHED ORPUR；クローブ油、エッセンス、エキス、代替物または代用物、例えばCLOVE BUD OIL；CLOVE LEAF OIL COLORLESS；CLOVE LEAF OIL RECTIFIED RB COSMOS；コリアンダー油、エッセンス、エキス、代替物または代用物、例えばCORIANDER SEEDS OIL ORPUR COSMOS；エレミ油、エッセンス、エキス、代替物または代用物、例えばELEMI RESINOID 50%/BB；ETHYL CINNAMATE；EUGENOL；ジンジャー油、エッセンス、エキス、代替物または代用物、例えばGINGER OIL INDIA ORPUR；GINGER ROOT FRESH CUT；ISOEUGENOL；IMETHYL CINNAMATE；METHYL ISOEUGENOL；MYSTIKAL；ナツメグ油、エッセンス、エキス、代替物または代用物、例えばNUTMEG OIL INDONESIA；胡椒油、エッセンス、エキス、代替物または代用物、例えばPEPPER BLACK OIL MADAGASCAR ORPUR；SZECHUAN PEPPER (ASH BARK) DQ AF 24070TT；
Ｂ１８）香料組成物中で使用される香水成分を基にして約０．０１重量％〜約０．５重量％、より特定的には約０．０１重量％〜約０．２１重量％の、以下からなる群から選択される少なくとも１種の硫黄調の成分：アンジェルク（Anjeruk）、例えばANJERUK 0.01%/TEC；コールカシス、例えばCORPS CASSIS 0.1%/TEC；CORPS CASSIS 10%/TEC；コールパンプルムース、例えばCORPS PAMPLEMOUSSE PURE 1%/TEC；CORPS PAMPLEMOUSSE PURE 10%/TEC；ジメチルスルフィド、例えばDIMETHYL SULFIDE；DIMETHYL SULFIDE 1%/TEC；GARDAMIDE；ラビエノキシム、例えばLABIENOXIME 1%/IPM-TEC；メルカプタン、例えばMERCAPTO-8 MENTHENE-1 PARA 0.1% IN TEC；METHYL ISOPROPYL THIAZOLE；ナルドゼステ（Nardozeste）油、エッセンス、エキス、代替物または代用物、例えばNARDOZESTE ABQ5031；NEOCASPIRENE EXTRA；NONIVAMIDE 1% TRIACETIN；オキサン、例えばOXANE 50%/TEC；PARADISAMIDE；パラメントン、例えばPARAMENTHONE 1%/TEC；
Ｂ１９）香料組成物中で使用される香水成分を基にして約０．０１重量％〜約１０重量％、より特定的には約０．２重量％〜約７．８３重量％の、以下からなる群から選択される少なくとも１種のスウィート／パウダリー調の成分：ACETOPHENONE；AUBEPINE PARA CRESOL；BICYCLO NONALACTONE；COUMARIN；エチルライトン、例えばETHYL LAITONE 1%/TEC；ETHYL VANILLIN；HELIOTROPIN；バニラ油、エッセンス、エキス、代替物または代用物、例えばVANILLA ABSOLUTE 20 FOLD DQ AC 41493TT；VANILLA S/ABS DEC 50% PG AAF0517 L228655；VANILLA SUP ABS DEC DQ P17 SB AC 41561TT；VANILLAL DQ (AF) 41319TT；VANILLIN；VANILLIN DQ (AF) 41320TT；バノリア（Vanolia）油、エッセンス、エキス、代替物または代用物、例えばVANOLIA BASE ABF0303B；VERATRIC ALDEHYDE；
Ｂ２０）香料組成物中で使用される香水成分を基にして約０．０１重量％〜約１５重量％、より特定的には約０．０１重量％〜約１０．３７重量％の、以下からなる群から選択される少なくとも１種のウッディ／パイン調の成分：BORNEOL；BORNYL ACETATE LIQUID；BUTYL CYCLOHEXANOL PARA；BUTYL CYCLOHEXYL ACETATE PARA；シダーウッド油、エッセンス、エキス、代替物または代用物、例えばCEDARWOOD OIL USA VIRGINIA TYPE ORPUR；CONIFERAN；EBANOL；EVERNYL；FENCHYL ACETATE；ガイアックウッド油、エッセンス、エキス、代替物または代用物、例えばGUAIACWOOD OIL PARAGUAY；ISONONANYL ACETATE ；JAVANOL；KOHINOOL；MENTHANYL ACETATE；METHYL CEDRYL KETONE；NOPYL ACETATE；OSYROL；OXYOCTALINE FORMATE；パチュリー油、エッセンス、エキス、代替物または代用物、例えばPATCHOULI OIL COLORLESS INDONESIA；PATCHOULI OIL IRONFREE INDONESIA COSMOS；PINENE ALPHA；PINENE BETA；RADJANOL；RADJANOL SUPER；テレピン油、エッセンス、エキス、代替物または代用物、例えばTURPENTINE OIL RECTIFIED；VERTOFIX COEUR；ベチバー油、エッセンス、エキス、代替物または代用物、例えばVETIVER OIL HAITI ORPUR ORGANIC COSMOS；
および、任意に
Ｂ２１）香料組成物中で使用される香水成分を基にして約０．０１重量％〜約１０重量％の、以下からなる群から選択される少なくとも１種の成分：ALDEHYDE C12 （DODECANAL）；およびMENTHYL ACETATE、
を含む、前記香料組成物。
【請求項１１】
０．０４２％の少なくとも１つのアルデヒド調成分、１０．９３８％の少なくとも１つの柑橘調成分、４．２７１％の少なくとも１つのグリーン調成分、３．３９６％の少なくとも１つのマリン／ウォータリー調成分、０．２０８％の少なくとも１つの硫黄調成分、６３．５４２％の少なくとも１つのフローラル調成分、２．０８３％の少なくとも１つのオリス調成分、１２．６０４％の少なくとも１つのフルーツ調成分、２．０８３％の少なくとも１つのアンバー調成分、０．０４２％の少なくとも１つのアニマリック／レザー調成分、０．２７１％の少なくとも１つのスウィート／パウダリー調成分、および０．５２１％の少なくとも１つのウッディ／パイン調成分を含む、請求項９または１０に記載の香料組成物。
【請求項１２】
０．２２１％の少なくとも１つのアルデヒド調成分、１．９０５％の少なくとも１つの柑橘調成分、３．０８７％の少なくとも１つのグリーン調成分、２．３４６％の少なくとも１つのマリン／ウォータリー調成分、０．０６０％の少なくとも１つの硫黄調成分、５９．９４４％の少なくとも１つのフローラル調成分、１０．０２４％の少なくとも１つのオリス調成分、２１．０７１％の少なくとも１つのフルーツ調成分、０．４４１％の少なくとも１つのスパイス調成分、０．２００％の少なくとも１つのグルマン調成分、０．２００％の少なくとも１つのスウィート／パウダリー調成分、および０．５０１％の少なくとも１つのウッディ／パイン調成分を含む、請求項９または１０に記載の香料組成物。